(57)【要約】【課題】複数のユーザがデータ処理装置を操作する場合の操作画面の利便性を図ることができるデータ処理装置を提供する。【解決手段】本発明の各手段は、データ処理装置は、複数の方向における第１の方向に対して、ユーザからの操作を受け付けるための操作画面を表示する第１の操作画面表示手段を備える。また、第１の操作画面表示手段により表示される操作画面での操作が終了した後、ユーザからの新たな操作を受け付けるための操作画面を第１の方向に対して表示する第２の操作画面表示手段を備える。また、第１の操作画面表示手段により表示される操作画面での操作が終了した後、第１の操作画面表示手段により表示される画面で受け付けられた操作に基づく動作の状況を示す動作状況画面を表示する動作状況画面表示手段を備える。動作状況画面表示手段は、動作状況画面を、複数の方向における第１の方向とは異なる第２の方向に対して表示する。各手段は、ＣＰＵ２０５がその機能を有する。【選択図】図７
2008216293.tif 000002
【特許請求の範囲】
【請求項１】
複数の方向における第１の方向に対して、ユーザからの操作を受け付けるための操作画面を表示する第１の操作画面表示手段と、
前記第１の操作画面表示手段により表示される操作画面での操作が終了した後、ユーザからの新たな操作を受け付けるための操作画面を前記第１の方向に対して表示する第２の操作画面表示手段と、
前記第１の操作画面表示手段により表示される操作画面での操作が終了した後、前記第１の操作画面表示手段により表示される画面で受け付けられた操作に基づく動作の状況を示す動作状況画面を前記複数の方向における前記第１の方向とは異なる第２の方向に対して表示する動作状況画面表示手段と、
を備えることを特徴とするデータ処理装置。
【請求項２】
複数の方向における第１の方向に対して、ユーザからの操作を受け付けるための操作画面を表示する第１の操作画面表示手段と、
前記第１の操作画面表示手段により表示される画面での操作が終了した後、ユーザからの新たな操作を受け付けるための操作画面を前記第１の方向に対して表示する第２の操作画面表示手段と、
前記第２の操作画面表示手段による操作画面の表示に並行して、前記第１の操作画面表示手段により表示される画面で受け付けられた操作に基づく動作の状況を示す動作状況画面を前記複数の方向における前記第１の方向とは異なる第２の方向に対して表示する動作状況画面表示手段と、
を備えることを特徴とするデータ処理装置。
【請求項３】
前記第１の操作画面表示手段と前記第２の操作画面表示手段により表示される操作画面では、前記データ処理装置の動作に関する設定を受け付けることを特徴とする請求項１または２記載のデータ処理装置。
【請求項４】
前記データ処理装置の動作はコピー動作であることを特徴とする請求項３記載のデータ処理装置。
【請求項５】
複数の方向における第１の方向に対して、ユーザからの操作を受け付けるための操作画面を表示する第１の操作画面表示手段と、
前記第１の操作画面表示手段により表示される画面での操作が終了した後、ユーザからの新たな操作を受け付けるための操作画面を前記第１の方向に対して表示する第２の操作画面表示手段と、
前記第２の操作画面表示手段による操作画面の表示に並行して、前記第１の操作画面表示手段により表示される画面で受け付けられた操作に基づく動作に関しユーザからの操作を受け付ける操作画面を前記複数の方向における前記第１の方向とは異なる第２の方向に対して表示する第３の操作画面表示手段と、
を備えることを特徴とするデータ処理装置。
【請求項６】
複数の方向における第１の方向に対して、ユーザからの操作を受け付けるための操作画面を表示する第１の操作画面表示ステップと、
前記第１の操作画面表示ステップにより表示される操作画面での操作が終了した後、ユーザからの新たな操作を受け付けるための操作画面を前記第１の方向に対して表示する第２の操作画面表示ステップと、
前記第１の操作画面表示ステップにより表示される操作画面での操作が終了した後、前記第１の操作画面表示ステップにより表示される画面で受け付けられた操作に基づく動作の状況を示す動作状況画面を前記複数の方向における前記第１の方向とは異なる第２の方向に対して表示する動作状況画面表示ステップと、
を備えることを特徴とするデータ処理装置の制御方法。
【請求項７】
コンピュータによって実行可能な制御プログラムにおいて、
複数の方向における第１の方向に対して、ユーザからの操作を受け付けるための操作画面を表示するよう制御する第１の操作画面表示のモジュールと、
前記第１の操作画面表示のモジュールにより表示される操作画面での操作が終了した後、ユーザからの新たな操作を受け付けるための操作画面を前記第１の方向に対して表示するよう制御する第２の操作画面表示のモジュールと、
前記第１の操作画面表示のモジュールにより表示される操作画面での操作が終了した後、前記第１の操作画面表示のモジュールにより表示される画面で受け付けられた操作に基づく動作の状況を示す動作状況画面を前記複数の方向における前記第１の方向とは異なる第２の方向に対して表示するよう制御する動作状況画面表示のモジュールと、
を有することを特徴とする制御プログラム。
【請求項８】
請求項７記載の制御プログラムを格納するコンピュータで読み取り可能な記憶媒体。
【発明の詳細な説明】
【技術分野】
【０００１】
本発明は、複数の視方向に対して個別の画像を表示することのできる表示装置を利用したデータ処理装置及びその制御方法、並びにプログラム及び記憶媒体に関する。
【背景技術】
【０００２】
ディスプレイ等の表示装置において、複数の方向にそれぞれ個別の画像を表示することのできる液晶表示装置（マルチビュー表示装置）が開発されている。例えば、カーナビ等の車載装置として、車に取り付けられる位置がある程度決められているケースにおいては、右方向の運転席側から見える画像としてナビゲーション情報を表示して、左方向の助手席側へはＤＶＤやＴＶ等の画像を表示する。
【０００３】
マルチビュー表示装置は、１台の表示装置を通して、複数の操作画面を表示することが可能になるため、各操作画面に対応する操作ボタンに関する技術が提案されている。
【０００４】
例えば、特許文献１には、表示部に表示される各視方向に対応する操作入力エリアの表示位置を常に重複しないように調整するよう制御する技術が開示されている。
【特許文献１】特開２００６−１９０２４５号公報
【発明の開示】
【発明が解決しようとする課題】
【０００５】
このようにデータ処理装置は複数のユーザが使用することが考えられる。
【０００６】
例えばプリント機能を含む複数の機能を有するマルチファンクションプリンタ（以降、複合機）は、プリント動作中にあっても、スキャン機能や送信機能といったその他の機能についても並行して動作が可能である。しかし、それぞれの機能は一つの操作画面を通して操作をするので、既に或る機能を操作中のユーザが存在した場合には、その操作が終了するまで他のユーザは待たなければならない。
【０００７】
上述の従来技術では、マルチビュー表示装置を利用することにより、２つの操作画面を提供することになり、一度に複数のユーザの操作を受け付けることはできる。が、あるユーザがある方向の操作画面で操作をした場合、その操作に基づく動作が終了するまでは、他のユーザはその方向の操作画面を利用することはできない。
【０００８】
例えば、あるユーザが大部数のコピーを行う場合を考えると、そのユーザが複数方向のうちの一方向からコピーの設定をして、コピー動作が開始されても、そのコピー動作の状況を示す画面が同一方向に表示されている。コピー機能と並行して送信機能が使用できる場合でも、先のユーザがその一方向を長期間占有してしまい、他のユーザはその一方向からは送信機能の操作画面を利用できない。データ処理装置によっては、複数方向のうちの一方向から操作画面を利用した方が操作画面を利用しやすい場合があり、その一方向が長期間占有されてしまうのは不便である。
【０００９】
本発明の目的は、複数のユーザがデータ処理装置を操作する場合の操作画面の利便性を図ることができるデータ処理装置及びその制御方法、並びにプログラム及び記憶媒体を提供することにある。
【課題を解決するための手段】
【００１０】
上記目的を達成するために、請求項１記載のデータ処理装置は、複数の方向における第１の方向に対して、ユーザからの操作を受け付けるための操作画面を表示する第１の操作画面表示手段と、前記第１の操作画面表示手段により表示される操作画面での操作が終了した後、ユーザからの新たな操作を受け付けるための操作画面を前記第１の方向に対して表示する第２の操作画面表示手段と、前記第１の操作画面表示手段により表示される操作画面での操作が終了した後、前記第１の操作画面表示手段により表示される画面で受け付けられた操作に基づく動作の状況を示す動作状況画面を前記複数の方向における前記第１の方向とは異なる第２の方向に対して表示する動作状況画面表示手段とを備えることを特徴とする。
【００１１】
請求項２記載のデータ処理装置は、複数の方向における第１の方向に対して、ユーザからの操作を受け付けるための操作画面を表示する第１の操作画面表示手段と、前記第１の操作画面表示手段により表示される画面での操作が終了した後、ユーザからの新たな操作を受け付けるための操作画面を前記第１の方向に対して表示する第２の操作画面表示手段と、前記第２の操作画面表示手段による操作画面の表示に並行して、前記第１の操作画面表示手段により表示される画面で受け付けられた操作に基づく動作の状況を示す動作状況画面を前記複数の方向における前記第１の方向とは異なる第２の方向に対して表示する動作状況画面表示手段とを備えることを特徴とする。
【００１２】
請求項５記載のデータ処理装置は、複数の方向における第１の方向に対して、ユーザからの操作を受け付けるための操作画面を表示する第１の操作画面表示手段と、前記第１の操作画面表示手段により表示される画面での操作が終了した後、ユーザからの新たな操作を受け付けるための操作画面を前記第１の方向に対して表示する第２の操作画面表示手段と、前記第２の操作画面表示手段による操作画面の表示に並行して、前記第１の操作画面表示手段により表示される画面で受け付けられた操作に基づく動作に関しユーザからの操作を受け付ける操作画面を前記複数の方向における前記第１の方向とは異なる第２の方向に対して表示する第３の操作画面表示手段とを備えることを特徴とする。
【００１３】
請求項６記載のデータ処理装置の制御方法は、複数の方向における第１の方向に対して、ユーザからの操作を受け付けるための操作画面を表示する第１の操作画面表示ステップと、前記第１の操作画面表示ステップにより表示される操作画面での操作が終了した後、ユーザからの新たな操作を受け付けるための操作画面を前記第１の方向に対して表示する第２の操作画面表示ステップと、前記第１の操作画面表示ステップにより表示される操作画面での操作が終了した後、前記第１の操作画面表示ステップにより表示される画面で受け付けられた操作に基づく動作の状況を示す動作状況画面を前記複数の方向における前記第１の方向とは異なる第２の方向に対して表示する動作状況画面表示ステップとを備えることを特徴とする。
【００１４】
請求項７記載の制御プログラムは、コンピュータによって実行可能な制御プログラムにおいて、複数の方向における第１の方向に対して、ユーザからの操作を受け付けるための操作画面を表示するよう制御する第１の操作画面表示のモジュールと、前記第１の操作画面表示のモジュールにより表示される操作画面での操作が終了した後、ユーザからの新たな操作を受け付けるための操作画面を前記第１の方向に対して表示するよう制御する第２の操作画面表示のモジュールと、前記第１の操作画面表示のモジュールにより表示される操作画面での操作が終了した後、前記第１の操作画面表示のモジュールにより表示される画面で受け付けられた操作に基づく動作の状況を示す動作状況画面を前記複数の方向における前記第１の方向とは異なる第２の方向に対して表示するよう制御する動作状況画面表示のモジュールとを有することを特徴とする。
【００１５】
請求項８記載のコンピュータで読み取り可能な記憶媒体は、請求項７記載の制御プログラムを格納する。
【発明の効果】
【００１６】
本発明のデータ処理装置は、複数の方向における第１の方向に対して、ユーザからの操作を受け付けるための操作画面を表示する第１の操作画面表示手段を備える。また、第１の操作画面表示手段により表示される操作画面での操作が終了した後、ユーザからの新たな操作を受け付けるための操作画面を第１の方向に対して表示する第２の操作画面表示手段を備える。また、第１の操作画面表示手段により表示される操作画面での操作が終了した後、第１の操作画面表示手段により表示される画面で受け付けられた操作に基づく動作の状況を示す動作状況画面を表示する動作状況画面表示手段を備える。動作状況画面表示手段は、動作状況画面を、複数の方向における第１の方向とは異なる第２の方向に対して表示する。
【００１７】
この構成により、複数のユーザがデータ処理装置を操作する場合の操作画面の利便性を図ることができる。
【発明を実施するための最良の形態】
【００１８】
以下、本発明の実施の形態を図面を参照しながら詳細に説明する。
【００１９】
図１は、本発明の実施の形態に係るデータ処理装置としての複合機の機能ブロック図である。
【００２０】
複合機は、スキャナから出力されたジョブデータに基づいて画像をプリントするコピー機能や、コンピュータ等の外部装置から出力されたジョブデータに基づいて画像をプリントするプリント機能等の複数の機能を備えるデータ処理装置である。
【００２１】
複合機には、フルカラー複合機とモノクロ複合機があり、色処理や内部データ等を除いて、基本的な部分において、フルカラー複合機がモノクロ複合機の構成を包含することが多い。ここではフルカラー複合機に絞って説明し、必要に応じて随時モノクロ複合機の説明を加えることとする。
【００２２】
また、本発明は、プリント機能のみを備える単一機能型のデータ処理装置にも適用できることは言うまでもない。
【００２３】
以下、その構成を動作と併せて説明する。
【００２４】
本複合機は、画像の読み取りをするスキャナ部２０１、ファクシミリ、ネットワーク接続機器及び外部専用装置と画像データ等を送受する外部Ｉ／Ｆ２０２、画像処理後に用紙上に画像形成するプリンタ部２０３を備えている。
【００２５】
操作部２０４は、本複合機の様々なフローや機能を選択したり操作指示するためのものである。操作部２０４の表示装置の高解像度化に伴い、文書管理部にある画像データをプレビューし、プリントするといったこともできる。
【００２６】
操作部２０４は、マルチビュー液晶の表示装置を使用し、複数の視方向のそれぞれに応じて個別に異なる操作画面を表示することができる。本実施の形態においては、前、右、左と３視方向について別々の操作画面を表示することができるトリプルビュー液晶表示装置を使用する。
【００２７】
ＣＰＵ２０５は、ＲＯＭ２０７またはＨＤＤ２０９から読み込んだプログラムに基づいて動作する。また、外部Ｉ／Ｆ２０２がホストコンピュータから受信したＰＤＬ（ページ記述言語）コードデータを解釈し、ラスターイメージデータに展開する動作もこのプログラムに記述されている。ＰＤＬコードデータからラスターイメージデータへの変換はソフトウェアによって処理される。
【００２８】
メモリコントローラ部２０６は、ＲＯＭ２０７、ＲＡＭ２０８、及びＨＤＤ２０９などの記憶装置へのアクセスを制御する。複数のデバイスからのメモリアクセスが競合した場合には、それらのデバイスの優先順位に従って順番に記憶装置へアクセスするよう調停動作を行う。
【００２９】
ＲＯＭ２０７は、読み出し専用のメモリで、ブートシーケンスプログラムやフォント情報等が予め記憶されている。
【００３０】
ＲＡＭ２０８は、読み出し及び書き込み可能なメモリで、スキャナ部２０１や外部Ｉ／Ｆ２０２よりメモリコントローラ部２０６を介して送られてきた画像データや、各種プログラムや設定情報を記憶する。
【００３１】
ＨＤＤ２０９は、圧縮伸張部２１０によって圧縮された画像データを記憶する大容量の記憶装置である。圧縮伸張部２１０は、ＪＢＩＧやＪＰＥＧ等といった各種圧縮方式によってＲＡＭ２０８、ＨＤＤ２０９に記憶されている画像データ等を圧縮・伸張する。また、ＨＤＤ２０９は、コンピュータによって実行可能な各種制御プログラムを記憶する。
【００３２】
表示制御部２１１は、操作部２０４におけるマルチビュー液晶の表示装置の各視方向に表示すべき画面を制御する。また、表示制御部２１１は、ＲＡＭ２０８に格納されている画面ソースを読み出して、ユーザによる操作に従って各視方向に表示される表示内容を切り替える。また、表示制御部２１１は、各視方向の操作画面における操作ボタンが重ならないように操作ボタンの表示位置を調整する。
【００３３】
図２は、本発明の実施の形態に係るデータ処理装置としての複合機の全体構成図である。
【００３４】
以下、その構成を動作と併せて説明する。
【００３５】
図２において、自動原稿搬送装置（ＡＤＦ）６０１は、原稿トレイの積載面にセットされた原稿束を順番に分離して、原稿を原稿台ガラス上へ搬送する装置である。
【００３６】
スキャナ６０２は、原稿台ガラス上に搬送された原稿の画像を読み取り、ＣＣＤによって画像データに変換する。回転多面鏡（ポリゴンミラー等）６０３は、画像データに応じて変調された、レーザ光等の光線を入射し、反射ミラーを介して反射走査光として感光ドラム６０４に照射する。
【００３７】
感光ドラム６０４上にレーザ光によって形成された潜像は、トナーによって現像されてトナー像となる。そして、転写ドラム６０５上に貼り付けられた用紙に対してトナー像を転写する。この一連の画像形成プロセスをイエロー（Ｙ）、マゼンタ（Ｍ）、シアン（Ｃ）、ブラック（Ｋ）のトナーに対して順次実行することにより、フルカラー画像が形成される。
【００３８】
４回の画像形成プロセスの後に、フルカラー画像形成された転写ドラム６０５上の用紙は、分離爪６０６によって分離され、定着前搬送ベルト６０７によって定着器６０８へ搬送される。
【００３９】
定着器６０８は、ローラやベルトの組み合わせによって構成され、ハロゲンヒータ等の熱源を内蔵用紙ナー像が転写された用紙上のトナーを、熱と圧力によって溶解、定着させる。
【００４０】
排紙フラッパ６０９は、揺動軸を中心に揺動可能に構成され、用紙の搬送方向を規定する。排紙フラッパ６０９が図中時計回りの方向に揺動しているときには、用紙は真直ぐに搬送され、排紙ローラ６１０によって機外へ排出される。
【００４１】
一方、用紙の両面に画像を形成する際には、排紙フラッパ６０９が図中反時計回りの方向に揺動し、用紙は下方向に進路を変更され、両面搬送部へと送り込まれる。
【００４２】
両面搬送部は、反転フラッパ６１１、反転ローラ６１２、反転ガイド６１３及び両面トレイ６１４より構成される。
【００４３】
反転フラッパ６１１は、揺動軸を中心に揺動可能に構成され、用紙の搬送方向を規定する。まず、反転フラッパ６１１が図中反時計回りの方向に揺動し、用紙は反転ローラ６１２によって反転ガイド６１３へと送り込まれる。
【００４４】
用紙後端が反転ローラ６１２に狭持された状態で反転ローラ６１２は一旦停止し、引き続き反転フラッパ６１１が図中時計回りの方向に揺動する。更に、反転ローラ６１２が逆方向に回転し、用紙はスイッチバックして搬送され、後端と先端が入れ替わった状態で両面トレイ６１４へと導かれる。
【００４５】
両面トレイ６１４では、用紙を一旦積載し、その後、再給紙ローラ６１５によって用紙は再びレジストローラ６１６へと送り込まれる。このとき用紙は、１面目の転写工程とは反対の面が転写ドラム６０５と対向する側になって送られてきている。そして、先述したプロセスと同様にして２面目の画像が形成され、定着工程を経て機外へ排出される。このようにして用紙の両面に画像が形成されることになる。
【００４６】
給紙搬送部は、用紙カセットＡ６１７、Ｂ６１８及びペーパーデッキ６１９、手差しトレイ６２０と、給紙ローラ６２１、レジストローラ６１６によって構成されている。
【００４７】
用紙カセットＡ６１７、Ｂ６１８及びペーパーデッキ６１９には、各種サイズ及び各種材質の用紙が収納され、また手差しトレイ６２０にはＯＨＴ用紙等のフィルム材を含む各種の記録媒体が積載される。
【００４８】
用紙カセットＡ６１７、用紙カセットＢ６１８、ペーパーデッキ６１９及び手差しトレイ６２０には、それぞれ、給紙ローラ６２１が設けられ用紙が１枚ずつ給送される。具体的には、ピックアップローラによって積載された用紙が順次繰り出され、給紙ローラ６２１に対向して設けられる分離ローラによって重送が防止されて用紙は１枚ずつ搬送ガイドへと送り出される。
【００４９】
ここで、分離ローラには、搬送方向とは逆方向に回転させる駆動力が図示しないトルクリミッタを介して入力されている。給紙ローラ６２１との間に形成されるニップ部に用紙が１枚だけ進入しているときには、用紙に従動して搬送方向に回転する。
【００５０】
一方、重送が発生している場合には、分離ローラが搬送方向とは逆方向に回転することにより重送した用紙が戻され、最上部の１枚だけが送り出されるようになっている。
【００５１】
送り出された用紙は搬送ガイドの間を案内され、複数の搬送ローラによってレジストローラ６１６まで搬送される。このときレジストローラ６１６は停止しており、用紙の先端がレジストローラ６１６対で形成されるニップ部に突き当たり、用紙がループを形成し斜行が補正される。
【００５２】
その後、画像形成部において感光ドラム６０４上に形成されるトナー像のタイミングに合わせて、レジストローラ６１６は回転を開始して用紙を搬送する。レジストローラ６１６により送られた用紙は、吸着ローラ６２２によって転写ドラム６０５表面に静電気的に吸着される。
【００５３】
プリンタ部の定着器６０８から排出された用紙は、オンラインフィニッシャ部に入る（フィニッシャが接続されている場合）。オンラインフィニッシャ部には、サンプルトレイ６２３及びスタックトレイ６２４がある。用紙は、ジョブの種類や排出される枚数に応じて切り替えられたサンプルトレイ６２３またはスタックトレイ６２４に排出される。
【００５４】
ソート方式には２通りあり、複数のビンを有して各ビンに振り分けるビンソート方式と、電子ソート機能とビン（または、トレイ）を奥手前方向にシフトしてジョブ毎に出力用紙を振り分けるシフトソート方式によるソーティングを行うことができる。
【００５５】
電子ソート機能は、コレートと呼ばれ、コア部に大容量メモリを持っていれば、この大容量メモリを利用して、バッファリングしたページ順と排出順を変更する、いわゆるコレート機能を用いることで電子ソーティングの機能もサポートできる。次に、グループ機能は、ソーティングがジョブ毎に振り分けるのに対し、ページ毎に仕分けする機能である。
【００５６】
更に、出力すべきジョブに対してステープルモードが設定されている場合には、スタックトレイ６２４に排出するよう制御する。その際には、用紙がスタックトレイ６２４に排出される前に、用紙をジョブ毎にフィニッシャ内部の処理トレイ６２５に順次蓄えておく。該処理トレイ６２５上にてステープラ６２６にてバインドして、その上で、スタックトレイ６２４へ用紙束を排出する。
【００５７】
その他、上記２つのトレイに至るまでに、ファイル用の２つ（または３つ）の穴開けを行うパンチャ６２７があり、ジョブの種類に応じてパンチ処理を行う。例えば、出力すべきジョブに対する用紙処理に関する設定としてユーザにより操作部を介してパンチ処理設定がなされた場合には、そのジョブの記録紙に対してパンチャ６２７によるパンチ処理を実行させる。その上で、機内を通過させて、スタックトレイ６２４及びサンプルトレイ６２３等の排出トレイに排紙するよう制御する。
【００５８】
更に、サドルステッチャ６２８は、用紙の中央部分を２ヶ所バインドした後に、用紙の中央部分をローラに噛ませることにより用紙を半折りし、パンフレットのようなブックレットを作成する処理（製本処理）を行う。
【００５９】
サドルステッチャ６２８で製本された用紙は、ブックレットトレイ６２９に排出される。サドルステッチャ６２８による製本処理等の用紙処理動作の実行可否も、上述の如く、出力すべきジョブに対してユーザにより設定された用紙処理設定に基づく。
【００６０】
また、インサータ６３０は、インサートトレイ６３１にセットされた用紙をプリンタを通さずに、スタックトレイ６２４及びサンプルトレイ６２３等の排出トレイのいずれかに送るためのものである。
【００６１】
これによって、オンラインフィニッシャ部に送り込まれる用紙（プリンタ部で印刷された用紙）と用紙の間にインサータ６３０にセットされた用紙をインサート（中差し）することができる。インサータ６３０のインサートトレイ６３１にはユーザによりフェイスアップの状態でセットされるものとし、ピックアップローラにより最上部の用紙から順に給送する。
【００６２】
従って、インサータ６３０からの用紙はそのままスタックトレイ６２４またはサンプルトレイ６２３へ搬送することによりフェイスダウン状態で排出される。サドルステッチャ６２８へ送るときには、一度パンチャ６２７側へ送り込んだ後、スイッチバックさせて送り込むことによりフェースの向きを合わせる。
【００６３】
尚、インサータ６３０による用紙挿入処理等の用紙処理動作の実行可否も、上述の如く、出力すべきジョブに対してユーザにより設定された用紙処理設定に基づく。
【００６４】
次に、図３と図４を用いて操作部２０４について説明する。
【００６５】
図３は、図１における操作部２０４のキー入力部の構成図である。
【００６６】
図３において、操作部電源スイッチ４０１は、スタンバイモード（通常動作状態）とスリープモード（省電力状態）を切り替えるものであり、システム全体の電源供給を行う主電源スイッチがＯＮ状態のときに使用できる。
【００６７】
尚、スリープモードでは、ＣＰＵ２０５は、ネットワークプリントやファクシミリ等に備えて割り込み待ち状態でプログラムを停止して、消費電力を抑えている状態にある。
【００６８】
スタートキー４０３は、コピーや送信等の開始を指示するキーであり、ストップキー４０２は、それを中断するキーである。
【００６９】
リセットキー４０４は、各種設定を無効にし、デフォルト状態に戻すためのキーである。ユーザモードキー４０５は、ユーザごとのシステム設定画面に移行するためのキーである。テンキー４０６は、各種設定の置数を行うためのキーであり、クリアキー４０７は、その置数を解除するためのキーである。
【００７０】
図４は、図１における操作部２０４の液晶表示装置の構成図である。
【００７１】
具体的には、液晶表示装置とその上に貼られた透明電極からなるタッチパネルディスプレイを表した模式図である。ユーザが液晶表示装置に表示されるキーの部分の透明電極を指で触れると、それを検知して別の操作画面を表示する等が予めプログラムされている。
【００７２】
図４は、スタンバイモード時の初期画面である。設定操作に応じて様々な操作画面が表示される。
【００７３】
コピータブ５０１は、コピー動作の操作画面に遷移するためのタブキーである。送信タブ５０２は、ファックスやＥ−ｍａｉｌ送信等送信（Ｓｅｎｄ）動作を指示する操作画面に遷移するためのタブキーである。
【００７４】
ボックスタブ５０３は、ボックス（ユーザごとにジョブを格納する記憶手段）においてジョブを入出力するための操作画面に遷移するためのタブキーである。オプションタブ５０４は、スキャナ設定等拡張機能を設定するための操作画面に遷移するためのタブキーである。
【００７５】
色選択設定キー５０５は、カラーコピー、白黒コピー、あるいは自動選択かを予め選択するためのキーである。ステータス表示部５０６は、スタンバイ状態、ウォームアップ中、ジャム、エラー等の簡易的な状態表示を行う表示部である。
【００７６】
倍率表示部５０７は、倍率設定キー５０８で設定された倍率を表示する。倍率設定キー５０８は、等倍、拡大、縮小等の倍率設定を行う画面に遷移するキーである。後処理設定キー５０９は、ステイプルやパンチ等の有無、個数、位置等を設定する画面に遷移するキーである。
【００７７】
枚数表示部５１０は、テンキー４０６で指定された枚数を表示したり、動作中に何枚目を印刷中かを表示する。濃度設定キー５１１は、出力画像を濃くしたり薄くしたり調整するためのキーである。
【００７８】
画像モード設定キー５１２は、文字モードや写真モード等原稿画像に適した画像モードを選択するためのキーである。割り込みキー５１３は、コピー動作中に別のジョブを割り込ませる場合に利用する。
【００７９】
両面設定キー５１４は、片面印刷か両面印刷かを選択する画面に遷移するキーである。紙サイズ設定キー５１５は、給紙段や紙サイズ、メディアタイプを選択する画面に遷移するキーである。
【００８０】
紙サイズ表示部５１６は、紙サイズ設定キー５１５で設定された紙サイズやモードを表示する。システムモニタキー５１７は、複合機の状態や状況を表示するためのキーであり、各タブを選択することで、それぞれの操作モードに遷移することができる。
【００８１】
応用モードキー５１８は、ページ連写、表紙・合紙設定、縮小レイアウト、画像移動等様々な画像処理やレイアウト等の設定を行う画面に遷移するためのキーである。
【００８２】
次に、トリプルビューの原理を説明する。
【００８３】
図５は、トリプルビューの原理を説明するための図１における操作部２０４の構成の具体例を示す図である。
【００８４】
図５において、操作部２０４の液晶ディスプレイ表示装置は、画面データを表示するデータ表示部７１と、データ表示部７１の前方、つまり閲覧者に近い側に備えられるスリット板７２とを有する。また、データ表示部７１の後方、つまり閲覧者に遠い側に備えられるバックライト７３を有する。
【００８５】
データ表示部７１は、表示制御部２１１に制御され、図５に示されるように、以下の各領域が並んで構成される。即ち、縦長の短冊状の領域である、右画面を表示する複数の領域７１１と、中央画面を表示する複数の領域７１２と、左画面を表示する複数の領域７１３とが、左から順に領域７１１，７１２，７１３の順番に繰り返し並んで構成される。
【００８６】
また、スリット板７２は、表示制御部２１１に制御され、背後のデータ表示部７１を前方から透かして見ることのできない閉口部７２１と、背後のデータ表示部７１を前方から透かして見ることのできる開口部７２２とを含んで構成される。
【００８７】
スリット板７２を表示制御部２１１が制御することで、閉口部７２１が暗転され、開口部７２２が可透となって構成される。また、スリット板７２全体に対する開口部７２２の割合である開口率が表示制御部２１１によって制御され、バックライト７３の輝度が制御される。
【００８８】
上述するように、スリット板７２に、閉口部７２１と開口部７２２とが構成され、データ表示部７１に、右画面を表示する領域７１１と、中央画面を表示する領域７１２と、左画面を表示する領域７１３とが構成される。
【００８９】
このことで、領域７１１に表示される右画面は、開口部７２２を介して図５の位置Ｃに向かう方向に表示され、位置Ｃに位置する閲覧者から視認される。
【００９０】
また、領域７１２に表示される中央画面は、開口部７２２を介して図５の位置Ａに向かう方向に表示され、位置Ａに位置する閲覧者から視認される。
【００９１】
また、領域７１３に表示される左画面は、開口部７２２を介して図５の位置Ｂに向かう方向に表示され、位置Ｂに位置する閲覧者から視認される。
【００９２】
つまり、位置Ａ〜Ｃに位置する各閲覧者は、同じ操作部２０４を閲覧していても、中央画面、左画面、及び右画面の異なる３種類の画面を閲覧可能である。
【００９３】
次に、操作部２０４の表示概念を説明する。
【００９４】
図６は、図１における操作部２０４によるトリプルビュー表示の概念を示す図である。
【００９５】
図６において、トリプルビューの各視方向に対応する第１の画像ソース１０１、第２の画像ソース及び第３の画像ソース１０３より、それぞれ第１の画像データ１０７、第２の画像データ１０８及び第３の画像データ１０９が表示制御部２１１へ送信される。
【００９６】
表示制御部２１１からは、画像データと処理モードに基づく表示データ１１０が操作部２０４へ送信される。そして位置Ｂ、Ａ、Ｃの方向より各々閲覧し操作することのできる、第１の操作画面１０４、第２の操作画面１０５及び第３の操作画面１０６が操作部２０４上に表示される。
【００９７】
図６の概念図は、操作部２０４に対する視野角に応じて、位置Ｂからは第１の操作画面１０４を、位置Ａからは第２の操作画面１０５を、位置Ｃからは第３の操作画面１０６を、それぞれの位置に立つユーザは実質的に同時に見ることができる。
【００９８】
図６において、各画像ソース１０１〜１０３は、複合機の各機能に対する操作画面や、動作中における動作確認／ジョブキャンセル画面である。また、それぞれの画像データ１０７〜１０９は、表示制御部２１１に供給され、それらの画像データに基づく画像を操作部２０４で実質的に同時に表示できるように処理される。
【００９９】
次に、操作画面の表示シーケンスを説明する。
【０１００】
本実施の形態におけるマルチビュー表示装置を使用した操作画面の表示シーケンスについて、フローチャートに従って説明する。本実施の形態ではマルチビュー表示装置としてトリプルビュー液晶表紙装置を使用することを例に取り説明する。
【０１０１】
図７は、図１における操作部の操作画面を表示する処理の手順を示すフローチャートである。
【０１０２】
本処理は、図１におけるＣＰＵ２０５の制御下で実行される。また、本処理は、ユーザが複数部数のコピーを実行する際に実行される。
【０１０３】
図７において、まず、ステップＳ７０１で、ユーザが主電源スイッチをＯＮにして、電源が投入されると、ＣＰＵ２０５はデータ処理装置を初期化する。
【０１０４】
ステップＳ７０２において、ＣＰＵ２０５は、ＲＡＭ２０８上に初期画面の画像データを用意する。初期画面では、ユーザからの特定の操作を受け付けることができる。
【０１０５】
ステップＳ７０３において、表示制御部２１１は、ＲＡＭ２０８より初期画面の画像データをリードして、操作部２０４へ初期画面の表示データを送信する。そうして、操作部２０４のトリプルビュー液晶表示装置の３視方向に対して同一の初期画面を表示するよう制御する（第１の操作画面表示手段）。
【０１０６】
図８は、図１における操作部に３視方向に対して初期画面を表示している例を示す図である。つまり電源投入後の操作部２０４に表示される初期画面は３視方向とも同一であるよう制御される。
【０１０７】
ステップＳ７０４において、ユーザが操作部２０４の中央視方向よりコピージョブに対する設定を行うと、ＣＰＵ２０５はその設定内容を入力する。
【０１０８】
図９は、最初のユーザＡが図１における操作部の中央視方向より操作を行う際に表示される中央視方向に対する画面の推移を示す図である。
【０１０９】
ユーザＡがＡＤＦ６０１に原稿をセットして、図９（ａ）の初期画面でテンキー４０６によって部数（図９では５部）を設定すると、表示される画面は図９（ｂ）に示すようなコピージョブ設定完了画面になる。
【０１１０】
ステップＳ７０５において、ユーザが操作部２０４を通してコピー設定を完了し、スタートキー４０３を押下すると、ＣＰＵ２０５はコピー動作を実行する。
【０１１１】
ステップＳ７０６において、ＣＰＵ２０５は、中央視方向に対しては操作受付画面の画像データを用意し、表示制御部２１１は、操作受付画面の画像データをリードして、中央視方向に対して操作受付画面が表示されるよう表示データを操作部２０４に送信する。そうして、操作部２０４の中央視方向には、次のユーザがデータ処理装置を操作できるように、操作受付画面を表示するよう制御する（第２の操作画面表示手段）。ユーザＡがスタートキー４０３を押下すると、中央視方向に表示される画面は図９（ｃ）に示すような操作受付画面になる。
【０１１２】
操作受付画面は、基本的に９（ａ）に示す初期画面とほぼ同一であるが、ユーザＡが指示したコピージョブの状況が左右の視方向より確認することできることを通知するメッセージがステータス表示部５０６に表示される。
【０１１３】
ステップＳ７０７において、表示制御部２１１は、実行中のジョブの動作状況を示す動作状況画面が操作部２０４の左右の視方向に対して表示されるよう制御する（動作状況画面表示手段）。この時、ＣＰＵ２０５は、動作状況画面の画面データをＲＡＭ２０８上に用意し、表示制御部２１１は、ＲＡＭ２０８より動作状況画面の画像データをリードして、左右視方向には動作状況画面が表示されるよう表示データを操作部２０４に送信する。
【０１１４】
図１０に、ユーザＡが図１における操作部の左右視方向より動作状況を確認する際に表示される左右視方向画面の推移を示す図である。
【０１１５】
図１０（ａ）から図１０（ｂ）までの操作画面の推移は、図９（ａ）から図９（ｂ）までの推移と同一である。スタートキー４０３が押下されると、図１０（ｃ）に示すような動作状況画面が左右視方向に対して表示される。一方、中央視方向に対しては図９（ｃ）に示すような操作受付画面が表示される。例えば、ユーザＡが右方向に移動して右視方向から動作状況画面を閲覧すれば、ユーザＢは中央視方向から操作受付画面を閲覧し、データ処理装置を操作することができる。
【０１１６】
異なる視方向で別々の操作画面を表示する際に、表示制御部２１１は、それぞれの視方向で表示される操作ボタンが重ならないように制御する。あくまでもユーザは同一のタッチパネルディスプレイに触れて操作ボタンを押下するため、操作ボタンがそれぞれの視方向間で重なっていると、どの視方向に対する操作ボタンが押下されたかが分からないからである。
【０１１７】
図１１は、図１における操作部２０４の中央視方向と左右視方向の操作画面における操作ボタンの推移を示す図である。
【０１１８】
操作ボタンの例として、中央視方向の画面には片面→両面、両面→両面、両面→片面、ページ連写両面、等がある。左右視方向の画面には中止、閉じる、等がある。
【０１１９】
図１１に示すように、中央視方向の画面上にある操作ボタンの位置と左右視方向の画面上にある操作ボタンの位置とが重ならないようように、表示制御部２１１は画面を表示する度に制御する。
【０１２０】
ステップＳ７０８において、ＣＰＵ２０５は、コピー動作が終了しているか否かの判定を行う。コピー動作が終了している場合にはステップＳ７０９へ移行する。コピー動作が終了していない場合には、ステップＳ７０６へ移行して、中央視方向と左右視方向とで異なる操作画面を表示する制御を続行する。
【０１２１】
ユーザは、データ処理装置を使用しない場合には電源オフする。ステップＳ７０９において、電源オフされた場合は処理を終了する。電源オフされない場合には、ステップＳ７０２へ移行して処理を続ける。
【０１２２】
なお、図７のフローチャートにおいて、
以上説明してきたように、本発明のデータ処理装置は、ユーザが設定操作を終了すると、左右視方向よりジョブの動作状況の確認、及び中央視方向より新たな設定操作の受付を同時に行うことができる。
【０１２３】
従って、大量部数を印刷中であっても、ユーザは左右視方向より動作状況の確認／ジョブキャンセルすることができるので、中央視方向より新たなジョブの操作を別ユーザにさせることができる。
【０１２４】
よって大量印刷による操作部の占有を抑制することができるので、操作部を、動作状況に合わせた有効活用することができる効果を奏する。
【０１２５】
また、本発明の目的は、以下の処理を実行することによって達成される。即ち、上述した実施形態の機能を実現するプログラムコード（モジュール）を記録した記憶媒体を、システム或いは装置に供給し、そのシステム或いは装置のコンピュータ（ＣＰＵやＭＰＵ等）が記憶媒体に格納されたプログラムコードを読み出す処理である。
【０１２６】
この場合、記憶媒体から読み出されたプログラムコード自体が前述した実施の形態の機能を実現することになり、そのプログラムコード及び該プログラムコードを記憶した記憶媒体は本発明を構成することになる。
【０１２７】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１２８】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１２９】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【０１３０】
【図１】本発明の実施の形態に係るデータ処理装置としての複合機の機能ブロック図である。
【図２】本発明の実施の形態に係るデータ処理装置としての複合機の全体構成図である。
【図３】図１における操作部のキー入力部の構成図である。
【図４】図１における操作部の液晶表示部の構成図である。
【図５】トリプルビューの原理を説明するための図１における操作部の構成の具体例を示す図である。
【図６】図１における操作部によるトリプルビュー表示の概念を示す図である。
【図７】図１における操作部の操作画面を表示する処理の手順を示すフローチャートである。
【図８】図１における操作部に３視方向ともコピー初期画面を表示している例を示す図である。
【図９】最初のユーザＡが図１における操作部の中央視方向より操作を行う際に表示される中央視方向画面の推移を示す図である。
【図１０】ユーザＡが図１における操作部の左右視方向より動作状況を確認する際に表示される左右視方向画面の推移を示す図である。
【図１１】図１における操作部の中央視方向と左右視方向の操作画面における操作ボタンの推移を示す図である。
【符号の説明】
【０１３１】
１０１  第１の画像ソース
１０２  第２の画像ソース
１０３  第３の画像ソース
１０４  第１の操作画面
１０５  第２の操作画面
１０６  第３の操作画面
１０７  第１の画像データ
１０８  第２の画像データ
１０９  第３の画像データ
１１０  表示データ
２０１  スキャナ部
２０２  外部Ｉ／Ｆ
２０３  プリンタ部
２０４  操作部
２０５  ＣＰＵ
２０６  メモリコントローラ部
２０７  ＲＯＭ
２０８  ＲＡＭ
２０９  ＨＤＤ
２１０  圧縮伸張部
２１１  表示制御部
４０１  操作部電源スイッチ
４０２  ストップキー
４０３  スタートキー
４０４  リセットキー
４０５  ユーザモードキー
４０６  テンキー
４０７  クリアキー
５０１  コピータブ
５０２  送信タブ
５０３  ボックスタブ
５０４  オプションタブ
５０５  色選択設定キー
５０６  ステータス表示部
５０７  倍率表示部
５０８  倍率設定キー
５０９  後処理設定キー
５１０  枚数表示部
５１１  濃度設定キー
５１２  画像モード設定キー
５１３  割り込みキー
５１４  両面設定キー
５１５  紙サイズ設定キー
５１６  紙サイズ表示部
５１７  システムモニタキー
５１８  応用モードキー
６０１  ＡＤＦ
６０２  スキャナ
６０３  回転多面鏡
６０４  感光ドラム
６０５  転写ドラム
６０６  分離爪
６０７  定着前搬送ベルト
６０８  定着器
６０９  排紙フラッパ
６１０  排紙ローラ
６１１  反転フラッパ
６１２  反転ローラ
６１３  反転ガイド
６１４  両面トレイ
６１５  再給紙ローラ
６１６  レジストローラ
６１７  用紙カセットＡ
６１８  用紙カセットＢ
６１９  ペーパーデッキ
６２０  手差しトレイ
６２１  給紙ローラ
６２２  吸着ローラ
６２３  サンプルトレイ
６２４  スタックトレイ
６２５  処理トレイ
６２６  ステープラ
６２７  パンチャ
６２８  サドルステッチャ
６２９  ブックレットトレイ
６３０  インサータ
６３１  インサートトレイ
６３２  センサ
７１    データ表示部
７２    スリット板
７３    バックライト
７１１  右画面を表示する領域
７１２  中央画面を表示する領域
７１３  左画面を表示する領域
７２１  閉口部
７２２  開口部
【図１】
2008216293.tif 000003
【図２】
2008216293.tif 000004
【図３】
2008216293.tif 000005
【図４】
2008216293.tif 000006
【図５】
2008216293.tif 000007
【図６】
2008216293.tif 000008
【図７】
2008216293.tif 000009
【図８】
2008216293.tif 000010
【図９】
2008216293.tif 000011
【図１０】
2008216293.tif 000012
【図１１】
2008216293.tif 000013